(57)【要約】【課題】誘導灯信号装置で複数個の点滅形誘導灯や音声誘導灯を一斉点滅させる照明制御システムにおいて、電力線搬送制御システムを用いることなく配線を減す。【解決手段】照明制御システムは、複数個の点滅形誘導灯Ａと、誘導灯信号装置と、開閉スイッチＳＷとを備える。各点滅形誘導灯Ａには一対の電源線ＰＬ１，ＰＬ２と制御線ＳＬとが接続される。開閉スイッチＳＷの一端は電源線ＰＬ１に接続され他端は制御線ＳＬに接続される。誘導灯信号装置は開閉スイッチＳＷの開閉を制御する。各点滅形誘導灯Ａは、第１光源１０および第２光源２０の２つの光源と、第１光源１０の動作を制御する第１回路部１と、第２光源２０の動作を制御する第２回路部２とをそれぞれ備える。第２回路部２は、開閉スイッチＳＷが開のときに制御信号を制御線ＳＬに送出可能である信号送出部２７を備える。【選択図】図１
2010033850.tif 000002
【特許請求の範囲】
【請求項１】
商用電源との接続用の２本の電源線がそれぞれ接続される一対の電源端子部と制御線が接続される信号端子部とを有する複数個の誘導灯と、一端が制御線に接続され他端が一方の電源線に接続される開閉スイッチと、開閉スイッチを開閉させる誘導灯信号装置とを備える照明制御システムであって、各誘導灯は、制御線より入力する制御信号を検出する信号検出部と、検出した制御信号に応じた動作モードを選択する制御部と、開閉スイッチが開であるときに制御信号を信号端子部から送出可能である信号送出部とをそれぞれ備えることを特徴とする照明制御システム。
【発明の詳細な説明】
【技術分野】
【０００１】
本発明は、複数台の誘導灯の動作を制御する誘導灯信号装置を備える照明制御システムに関するものである。
【背景技術】
【０００２】
従来より、非常用の照明装置である誘導灯を制御する誘導灯信号装置を備えた照明制御システムが知られている。
【０００３】
誘導灯は、病院、オフィスビル、地下街などの建物の通路や出入口などに設置することが消防法により義務付けられている。誘導灯は消防法における消防用設備の一つであり、何処からでも明瞭に見える位置に設置しなければならない。誘導灯には、例えば、人が走っている絵や文字などが表記されており、この表記により、火災などの際の避難経路、方向等に関する情報を表示する。
【０００４】
通常、誘導灯は建物内に複数台設置される。複数台の誘導灯の動作を集中的に制御する照明制御システムでは、図５に示すように、各誘導灯Ｃを、商用電源Ｅ１に接続された一対の電源線ＰＬ１，ＰＬ２と、誘導灯Ａの動作を制御する動作信号を送るための制御線ＳＬとの間に開閉スイッチＳＷを接続している。図示例では、一方の電源線ＰＬ１と制御線ＳＬとの間に開閉スイッチＳＷを接続している。また、開閉スイッチＳＷの開閉を行う誘導灯信号装置Ｆも設けてある。
【０００５】
各誘導灯Ｃは、図６に示すように、上述した絵や文字などを照明する光源１０と、商用電源Ｅ１から供給される交流電力を直流電力に変換する電源回路部１１と、停電時に光源１０を点灯させるための非常用電源である２次電池Ｅ３と、２次電池Ｅ３を充電する充電回路部１５と、光源１０を点灯させる点灯回路部１２と、電源回路部１１の出力側と点灯回路部１２との間に接続される第１スイッチング素子Ｑ１と、２次電池Ｅ３の高圧側と点灯回路部１２との間に接続される第２スイッチング素子Ｑ２と、第１スイッチング素子Ｑ１および第２スイッチング素子Ｑ２のオンオフを制御する制御部１３と、制御線ＳＬに接続される信号入力部１４とを備えている。
【０００６】
制御部１３は、２次電池Ｅ３の電池電圧を検出する電池電圧検出部１３ａと、２次電池Ｅ３の装着状態を検出する充電検出部１３ｂと、商用電源Ｅ１の停電を検出する停電検出部１３ｃと、信号入力部１４に接続され開閉スイッチＳＷの開閉を検出する信号検出部１３ｄと、電池電圧検出部１３ａ、充電検出部１３ｂ、停電検出部１３ｃの検出結果を総合的に判断して第１スイッチング素子Ｑ１、第２スイッチング素子Ｑ２のオンオフを制御する判断部１３ｅとを備えている。
【０００７】
誘導灯Ｃは、信号検出部１３ｄで開閉スイッチＳＷの開閉状態を検出し、検出結果から第１スイッチング素子Ｑ１および第２スイッチング素子Ｑ２のオンオフを制御部１３で制御して、光源１０を点灯または消灯させる。例えば、誘導灯Ｃは、開閉スイッチＳＷが開であると光源１０を消灯させ、閉であると光源１０を点灯させる。誘導灯信号装置Ｆは、開閉スイッチＳＷの開閉を行うことで、光源１０の一斉消灯、一斉点灯といった各誘導灯Ｃの集中制御を行う。
【０００８】
ところで、誘導灯においては、誘導灯に形成された絵や文字を照明する光源（以下、第１光源と呼ぶ）に加え、報知を行う報知部を備えるものがある。報知部として点滅を行う第２光源を備える誘導灯は、点滅形誘導灯と呼ばれ、報知部として音声を発する音声報知部を備える誘導灯は、音声誘導灯と呼ばれ、報知部として第２光源および音声報知部を備える誘導灯は、点滅形音声誘導灯と呼ばれる。
【０００９】
消防法によると、報知部を備える誘導灯は、室内から直接地上に通じる出入口（避難口）や、地上に通じる開放部のない直通階段の出入口（２階以上の階または地下１階以下の階における階段の出入口）に設置することが認められている。報知部を備える誘導灯は、火災が発生すると、報知部の動作を開始させ避難口の存在を周囲に報知するが、誘導灯が表示する避難方向に煙などが生じている場合は、報知部の動作を停止させる。
【００１０】
したがって、図５に示す構成において誘導灯Ａを点滅形誘導灯などに代える構成を考えると、各点滅形誘導灯に点滅を開始させる構成と、避難方向に煙などが生じているときに点滅を停止させる構成とが必要になる。
【００１１】
複数台の点滅形誘導灯Ｃ’と、誘導灯点滅装置Ｆと、開閉スイッチＳＷとで構成される照明制御システムの構成を図７に示す。点滅形誘導灯Ｃ’は、建物の１階の出入口と、各階における１階へと通じる階段の出入口とに設置され、１階方向（下方向）を避難方向として表示する。開閉スイッチＳＷと各点滅形誘導灯Ａ’とは、一対の電源線ＰＬ１，ＰＬ２と制御線ＳＬとで、図５と同様に配線が行われている。
【００１２】
階段の各階に相当する場所や各階の通路には、複数個の煙感知器Ｄが設置されている。点滅形誘導灯Ｃ’は、点滅形誘導灯Ｃ’が設置された階の１つ下の階において、階段に設置された煙感知器Ｄに接続線ＣＬ１で接続されている。例えば、３階に設置された点滅形誘導灯Ｃ’は、階段の２階に相当する場所に設置された煙感知器Ｄに接続線ＣＬ１で接続されている。
【００１３】
また、点滅形誘導灯Ｃ’は、１つ上の階に設置された点滅形誘導灯Ｃ’に第１信号線ＣＬ２で接続されている。例えば、２階に設置された点滅形誘導灯Ｃ’は３階に設置された点滅形誘導灯Ｃ’に第１信号線ＣＬ２で接続されている。さらに、誘導灯信号装置Ｆと各点滅形誘導灯Ｃ’とは、第２信号線ＣＬ３で接続されている。
【００１４】
誘導灯信号装置Ｆは、自動火災報知設備Ｂに接続され、火災発生時に移報信号が入力される。図では、接点信号である移報信号をスイッチの記号で表記している。
【００１５】
誘導灯信号装置Ｆは、移報信号により火災が発生したことが送信されると、開閉スイッチＳＷを開にし、各点滅形誘導灯Ｃ’は点滅を開始する。
【００１６】
階段に設置された煙感知器Ｄが煙を感知して感知信号を出力すると、当該煙感知器Ｄに接続された点滅形誘導灯Ｃ’は感知信号を受信して点滅を停止させるとともに、１つ上の階に設置された点滅形誘導灯Ｃ’に第１信号線ＣＬ２を用いて点滅を停止させる停止信号を送信する。
【００１７】
停止信号を受信した点滅形誘導灯Ｃ’は点滅を停止させるとともに、さらに１つ上の階に設置された点滅形誘導灯Ｃ’に第１信号線ＣＬ２を用いて停止信号を送信する。すなわち、第１信号線ＣＬ２は、点滅の停止のために用いられている。
【００１８】
また、誘導灯信号装置Ｆは、各点滅形誘導灯Ｃ’に第２信号線ＣＬ３で接続されている。各点滅形誘導灯Ｃ’は、制御線ＳＬ、第１信号線ＳＬ２、第２信号線ＳＬ３で、集中制御、点滅の開始、点滅の停止の動作が制御される。したがって、点滅形誘導灯Ｃ’を用いる照明制御システムでは、配線施工が煩雑になる。
【００１９】
ところで、誘導灯においては、消防法施行規則により、２０分間または６０分間の間、２次電池などの非常用電源により光源（第１光源）の点灯が維持できることの確認（定期点検）を行うことが義務付けられている。
【００２０】
点検方法としては、誘導灯が備える点検スイッチの引き輪に点検者が重りをぶら下げるなどして誘導灯を擬似的に停電状態にして光源の点灯を点検者が確認する方法や、図８に示すように点検中の光源１０の点灯の有無を誘導灯Ｃが確認して外部に表示する方法がある（特許文献１参照）。
【００２１】
図８に示す誘導灯Ｃは、基本的な構成は図６に示した構成と同じであるが、光源１０（ランプ）に流れる電流を検出する点検検出部１３ｆと、点検結果から判断部１３ｅ（点検検出部）が光源１０の正常、異常を判断するデータが記憶された記憶部１３ｇとを備えている点が異なる。判断部１３ｅが判断した点検結果は、表示灯などにより外部に表示される。
【００２２】
図８に示す構成では自動で点検が行えるが、建物内に誘導灯が複数台設置されている場合は、誘導灯ごとに点検を行うことになり手間がかかる。点検の手間を省くため、照明制御システムを用いて、誘導灯信号装置で複数個の誘導灯の点検を一括して行う技術が提供されている。
【００２３】
図９に示す照明制御システムは、通信部１３ｈを備える誘導灯Ｃ（誘導灯自動点検装置）と、同じく通信部を備える誘導灯信号装置Ｆ’（誘導灯制御監視盤）とを通信線ＣＬで接続し、誘導灯Ａと誘導灯信号装置Ｆ’とでネットワークを構成している（特許文献２参照）。
【００２４】
誘導灯信号装置Ｆ’は、通信部が有する送信部より制御信号を各誘導灯Ｃに送信することにより誘導灯Ｃに点検を行わせる。例えば、前述した定期点検や、２次電池Ｅ３（非常用電源）のみの点検を行う電池点検を、決められた周期（例えば、定期点検は３ヶ月に１回、電池点検は１週間に１回程度）で行う。電池点検では、２次電池Ｅ３の電池電圧と放電電流とを検出することにより２次電池Ｅ３の内部抵抗を算出し、点検時間内（例えば、１分間程度）における内部抵抗の変化（ＩＲ上昇）から電池の異常を検出し、または、電池の寿命を算出する。
【００２５】
上述のように、図９に示した照明制御システムでは、各誘導灯Ｃの動作（点検動作）を誘導灯信号装置Ｆ’で一括して制御するために通信線ＣＬを使用している。この技術を図７の構成に転用すれば、第１信号線ＣＬ２と第２信号線ＣＬ３（図７参照）とを兼用することが可能であるが、各点滅形誘導灯Ｃ’に通信部１３ｈが必要になる。
【００２６】
また、図１０に示す構成のように、電力線搬送制御システムを用いて電源線ＰＬで通信を行い、各誘導灯Ｃの動作を誘導灯信号装置Ｆで一括して制御する構成がある（特許文献３参照）。
【００２７】
図１０に示す構成では、誘導灯信号装置Ｆは、ＣＰＵを内蔵する制御部１３と送信部１３ｊとを備え、外部より入力される信号（火災信号、機械警備制御信号、外光信号）に応じた制御信号を送信部１３ｊより送信する。
【００２８】
送信部１３ｊは、高周波発生部と変調器とフィルタとを備え、高周波発生部で発生させた高周波を変調器で変調して変調信号を生成し、フィルタで変調信号の高調波成分を取り出して制御信号とし、制御信号を交流電圧に重畳して電源線ＰＬに出力する。
【００２９】
また、交流電圧に重畳された制御信号を交流電圧から分離するフィルタと、制御信号を復調する復調器とを備える信号受信装置Ｒが、電源線ＰＬと誘導灯Ａとの間に接続されている。信号受信装置Ｒが復調した復調信号は誘導灯Ｃに入力され、誘導灯Ｃは復調信号に応じた動作を行う。
【００３０】
電力線搬送制御システムを用いた照明制御システムでは、誘導灯Ｃの動作を制御するための専用の通信線が不要になるが、電力線ＰＬで通信を行うため、変調器、復調器、フィルタが必要になる。
【特許文献１】特開２００４−１１９１５１号公報
【特許文献２】特開２００４−１１１３４７号公報
【特許文献３】特開平７−１９３５３１号公報
【発明の開示】
【発明が解決しようとする課題】
【００３１】
上述したように、図７に示す照明制御システムでは、誘導灯として点滅形誘導灯Ｃ’を用いたことにより、第１光源１０の動作のために用いられる線と点滅の開始に用いられる線と点滅の停止に用いられる線との３つの線（制御線ＳＬ、第１信号線ＣＬ２、第２信号線ＣＬ３）が必要であり、通常の誘導灯Ｃを用いる場合（図５参照）に比べて配線が多く施工性が良くない。
【００３２】
図１０の構成と同様に電力線搬送制御システムを用いて電力線で通信を行うことにより制御線ＳＬおよび第１信号線ＳＬ２を無くす構成が考えられる。しかしながら、点滅形誘導灯Ｃ’に火災発生の有無を知らせる火災信号は、火災発生時において無電圧状態となる信号であることがＪＩＬ５５０２（誘導灯器具技術基準）に規定されている。
【００３３】
したがって、火災信号を電源線ＰＬの交流電圧に重畳して点滅形誘導灯Ｃ’に送る構成（すなわち、制御線を無くした構成）を採用すると、火災発生時において電源線ＰＬを無電圧状態にすることになり、停電が発生していないにも関わらず点滅形誘導灯Ｃ’への電力の供給が停止（無電圧状態）することになる。点滅形誘導灯Ｃ’への電力の供給が停止（無電圧状態）するから、第１光源１０は２次電池Ｅ３（図７参照）で点灯することになり、火災時における第１光源１０の点灯時間が短くなり、人々を誘導できる時間が短くなってしまう。上述のように、電力線搬送制御システムを用いて制御線ＳＬを無くす構成は、採用が困難である。
【００３４】
次に、電力線搬送制御システムを用いて第１信号線ＣＬ２を無くす構成を考えると、各点滅形誘導灯Ｃ’の点滅の停止を、電源線ＰＬを用いて行うことになるから、各点滅形誘導灯Ｃ’が信号をそれぞれ送受信するために、各点滅形誘導灯Ｃ’に、変調器、復調器、フィルタがそれぞれ必要になる。すなわち、照明制御システムが高価になる虞がある。
【００３５】
上述のように、点滅形誘導灯Ｃ’など報知部を備える誘導灯の動作を誘導灯信号装置Ｆで制御する照明制御システムにおいては、少なくとも制御線ＳＬと第２信号線ＣＬ３とが配線として必要であり、施工性が良くないという問題がある。また、電力線搬送制御システムを用いて第１信号線ＣＬ２を無くすと、照明制御システムが高価になる虞があるという問題がある。
【００３６】
本発明は上記事由に鑑みて為されたものであり、その目的は、複数台の誘導灯と誘導灯信号装置と開閉スイッチとを備え各誘導灯間で通信が行える照明制御システムにおいて、電力線搬送制御システムを用いずに配線を減らすことができる照明制御システムを提供することにある。
【課題を解決するための手段】
【００３７】
請求項１の発明は、商用電源との接続用の２本の電源線がそれぞれ接続される一対の電源端子部と制御線が接続される信号端子部とを有する複数個の誘導灯と、一端が制御線に接続され他端が一方の電源線に接続される開閉スイッチと、開閉スイッチを開閉させる誘導灯信号装置とを備える照明制御システムであって、各誘導灯は、制御線より入力する制御信号を検出する信号検出部と、検出した制御信号に応じた動作モードを選択する制御部と、開閉スイッチが開であるときに制御信号を信号端子部から送出可能である信号送出部とをそれぞれ備えることを特徴とする。
【発明の効果】
【００３８】
請求項１の発明の構成によれば、各誘導灯は、制御線より入力する制御信号を検出する信号検出部と、制御線に制御信号を送出できる信号送出部とをそれぞれ備えるから、本来、誘導灯が開閉スイッチの開閉を検出するための制御線を用いて各誘導灯間の通信を行うことができ、前記通信を行うことができるにも関わらず専用の通信線が不要であるという利点がある。例えば、誘導灯として点滅形誘導灯が用いられ、誘導灯信号装置が開閉スイッチを開にすることにより各点滅形誘導灯の点滅を開始させる制御を行う場合、当該点滅を開始させるための制御線で各点滅形誘導灯間の通信を行う。前記通信のための専用の通信線が不要であるから、施工性が良くなるという効果を奏する。また、開閉スイッチは、一端が制御線に接続され他端が一方の電源線に接続されるから、開閉スイッチが開のとき、制御線は無電圧状態になる。制御線が無電圧状態である開閉スイッチが開のときに制御信号を送出するから、電源線の交流電圧に信号を重畳する電力線搬送制御システムを用いた構成とは異なり、各誘導灯において変調器、復調器、フィルタが不要になるという利点がある。
【発明を実施するための最良の形態】
【００３９】
実施形態では、図２に示すように、オフィスビルなどの建物に設置される複数個の点滅形誘導灯Ａと、火災センターなどに設置される誘導灯信号装置Ｆと、開閉スイッチＳＷとを備える照明制御システムを例示する。
【００４０】
各点滅形誘導灯Ａは、１階における外に通じる出入口（避難口）と、窓などの開放部のない直通階段（１階に通じる階段）の各階における出入口（避難口）とにそれぞれ設置される。
【００４１】
各点滅形誘導灯Ａは、器具本体（図示せず）と、人が走っている絵や文字などの表示サインが形成され器具本体に取り付けられる表示パネル３１と、表示サインを照明する第１光源１０（図１参照）と、器具本体に取り付けられる第２光源２０（図１参照）を有する点滅部３２とを備える。表示サインは、１階の避難口に向かう方向を避難方向として表示する。第２光源２０には、放電ランプや発光ダイオードなどが用いられる。
【００４２】
各階の通路や前記階段における各階には、煙を感知すると感知信号を出力する煙感知器Ｄがそれぞれ設置されていて、感知信号は火災センターに設置される自動火災報知設備Ｂに入力される。
【００４３】
誘導灯信号装置Ｆは自動火災報知設備Ｂに接続され、火災発生時に移報信号が入力される。図では、接点信号である移報信号をスイッチの記号で表記している。
【００４４】
各点滅形誘導灯Ａは、各点滅形誘導灯Ａがそれぞれ設置される階の１つ下の階における階段に設置された煙感知器Ｄに、接続線ＣＬでそれぞれ接続される。すなわち、２階に設置された点滅形誘導灯Ａは、階段の１階に相当する場所に設置された煙感知器Ｄに接続され、３階に設置された点滅形誘導灯Ａは、階段の２階に相当する場所に設置された煙感知器Ｄに接続される（４階、５階、・・・に設置された点滅形誘導灯Ａについても同じ）。
【００４５】
各点滅形誘導灯Ａは、商用電源Ｅ１との接続用の電源線ＰＬ１が接続される第１電源端子部（図示せず）と、商用電源Ｅ１との接続用の電源線ＰＬ２が接続される第２電源端子部（図示せず）と、制御線ＳＬが接続される信号端子部（図示せず）とをそれぞれ備える。
【００４６】
実施形態では、開閉スイッチＳＷには電磁リレーが用いられ、一端は制御線ＳＬに接続され、他端は電源線ＰＬ１に接続される。開閉スイッチＳＷは、操作コイルＬに電圧が印加されていない場合に閉となるように構成される。すなわち、常時（操作コイルＬに電圧が印加されていないとき）においては、制御線ＳＬに交流電圧が印加され、非常時（操作コイルＬに電圧が印加されているとき）においては、制御線ＳＬは無電圧状態になる。
【００４７】
誘導灯信号装置Ｆは、商用電源Ｅ１に接続されて駆動する。誘導灯信号装置Ｆは、操作コイルＬへの印加電圧を制御する開閉信号を出力する開閉用出力端子部（図示せず）を備え、開閉スイッチＳＷの開閉を制御する。
【００４８】
各点滅形誘導灯Ａは、第１光源１０の点灯を制御する第１回路部１と、第２光源２０の点灯（点滅）を制御する第２回路部２とをそれぞれ備える。
【００４９】
第１点灯回路部１は、第１電源端子部および第２電源端子部に接続され交流電力を直流電力に変換するとともに安定化して出力する電源回路部１１と、第１光源１０の非常用電源としての２次電池Ｅ３と、電源回路部１１の出力側と２次電池Ｅ３の高圧側との間に接続され電源回路部１１が出力する直流電力により２次電池Ｅ３を充電する充電回路部１５と、第１光源１０を点灯させる点灯回路部１２と、電源回路部１１の出力側と点灯回路部１２との間に接続される第１スイッチング素子Ｑ１と、２次電池Ｅ３の高圧側と点灯回路部１２との間に接続される第２スイッチング素子Ｑ２と、第１スイッチング素子Ｑ１および第２スイッチング素子Ｑ２のオンオフを制御する制御部１３と、信号端子部と第２電源端子部とに接続される信号入力部１４とを備える。
【００５０】
第１スイッチング素子Ｑ１がオンであり第２スイッチング素子Ｑ２がオフであると、第１光源１０は商用電源Ｅ１から供給される電力で点灯し、第１スイッチング素子Ｑ１がオフであり第２スイッチング素子Ｑ２がオンであると、第１光源１０は２次電池Ｅ３の放電電流で点灯し、第１スイッチング素子Ｑ１および第２スイッチング素子Ｑ２が共にオフであると、第１光源１０は消灯する。
【００５１】
すなわち、制御部１３は、第１スイッチング素子Ｑ１および第２スイッチング素子Ｑ２のオンオフを制御することにより、第１光源１０を異なる動作モード（商用電源Ｅ１による点灯、２次電池Ｅ３による点灯、消灯）で動作させることができる。
【００５２】
また、制御部１３は、２次電池Ｅ３の電池電圧を検出する電池電圧検出部１３ａと、２次電池Ｅ３に流れ込む電流を検出する充電検出部１３ｂと、商用電源Ｅ１の停電を検出する停電検出部１３ｃと、信号入力部１４に接続される信号検出部１３ｄと、判断部１３ｅとを備える。停電検出部１３は、例えば、電源回路部１１の出力電圧を検出することにより停電を検出する。
【００５３】
第２回路部２は、第１電源端子部および第２電源端子部に接続され交流電力を直流電力に変換するとともに安定化して出力する電源回路部２１と、第２光源２０に電力を供給する２次電池Ｅ４と、電源回路部２１の出力側と２次電池Ｅ４の高圧側との間に接続され電源回路部２１が出力する直流電力により２次電池Ｅ４を充電する充電回路部２５と、点滅回路部２６と、制御部２３と、信号端子部と第２電源端子部とに接続する信号入力部２４と、信号送出部２７とを備える。
【００５４】
点滅回路部２６は、第２光源２０を点灯させる点灯回路に加え点滅用スイッチング素子（図示せず）を備える。制御部２３は、点滅用スイッチング素子を周期的にオンオフさせることにより第２光源２０に供給される電力を入切して第２光源２０を点滅させ、点滅用スイッチング素子をオンにすることにより第２光源２０を点灯させ、点滅用スイッチング素子をオフにすることにより第２光源２０を消灯させる。すなわち、制御部２３は、異なる動作モード（点滅、点灯、消灯）で第２光源２０を動作させることができる。
【００５５】
信号送出部２７は、一端が第２電源端子部に接続され他端が信号端子部に接続される信号送出用スイッチング素子Ｑ３と、信号送出用スイッチング素子Ｑ３のオンオフを制御するスイッチ制御部２７ａとを備える。
【００５６】
制御部２３は、２次電池Ｅ４の電池電圧を検出するための電池電圧検出部２３ａと、２次電池Ｅ４に流れ込む電流を検出する充電検出部２３ｂと、信号入力部２４に接続される信号検出部２３ｄと、判断部２３ｅとを備える。判断部２３ｅには感知信号が入力される。
【００５７】
制御部２３は、スイッチ制御部２７を制御して信号送出用スイッチング素子Ｑ３をオンオフさせ、制御線ＳＬに制御信号を送出する。
【００５８】
実施形態の動作について説明する。火災が発生していないときは、開閉スイッチＳＷは閉であり、信号入力部１４，２４を介して信号検出部１３ｄ，２３ｄは開閉スイッチＳＷが閉であることを検出する。
【００５９】
判断部１３ｅは、信号検出部１３ｄの検出結果より、第１光源１０の点灯を維持するものと判断し、判断部２３ｅは、信号検出部２３ｄの検出結果より、第２光源２０の消灯を維持するものと判断する。制御部１３は、第１スイッチング素子Ｑ１をオンに維持し、第２スイッチング素子Ｑ２をオフに維持し、第１光源１０の点灯を維持する。制御部２３は、点滅用スイッチング素子をオフに維持して第２光源２０の消灯を維持する。
【００６０】
このとき、充電回路部１５は２次電池Ｅ３を充電し、充電回路部２５は２次電池Ｅ４を充電する。すなわち、常時（火災が発生していないとき）に２次電池Ｅ３，Ｅ４は充電される。
【００６１】
火災が発生し煙感知器Ｄが煙を感知して感知信号を出力すると、移報端子６２を介して誘導灯信号装置Ｆは火災を検出し、操作コイルＬを操作して開閉スイッチＳＷを開にする。開閉スイッチＳＷが開になると、信号検出部１３ｄ，２３ｄは前述と同様に開閉スイッチＳＷが開となったことを検出する。
【００６２】
制御部１３は、第１スイッチング素子Ｑ１および第２スイッチング素子Ｑ２のオンオフ状態を維持して第１光源１０の点灯を維持する。制御部２３は、点滅用スイッチング素子を周期的にオンオフさせる。第２光源２０は、２次電池Ｅ４の放電電流により点滅を行う。すなわち、火災の発生を煙感知器Ｄが感知すると、各点滅形誘導灯Ａは、一斉に点滅を開始する。
【００６３】
なお、開閉スイッチＳＷを開にすることにより点滅を開始させるから、各点滅形誘導灯Ａに入力される火災信号においては、無電圧状態が点滅を開始させるための信号となっている。
【００６４】
火災発生時において商用電源Ｅ１が停電すると、停電検出部１３ｃが停電を検出し、停電検出部１３ｃの検出結果から、判断部１３は第２スイッチング素子Ｑ２をオンにするものと判断する。制御部１３は、第２スイッチング素子Ｑ２をオンにして２次電池Ｅ３の放電電流により第１光源１０の点灯を維持する。第２光源２０においては、２次電池Ｅ４の放電電流により点滅が維持される。
【００６５】
なお、火災が発生していないとき（開閉スイッチＳＷが閉であるとき）に停電が発生すると、制御線ＳＬは、開閉スイッチＳＷが開であるときと同じ状態（無電圧状態）になり、上述と同様に第２光源２０は点滅を行い、第１光源１０は点灯を維持する。
【００６６】
火災発生時（開閉スイッチＳＷが開であるとき）において、階段に設置された煙感知器Ｄが煙を感知して感知信号を出力すると、感知信号は接続線ＣＬで接続された点滅形誘導灯Ａに入力され、感知信号が入力された点滅形誘導灯Ａの制御部２３は、点滅用スイッチング素子をオフにして第２光源２０の点滅を停止（消灯）させ、また、信号送出部２７より制御信号を送出する。
【００６７】
ここに、各点滅形誘導灯Ａには、各点滅形誘導灯Ａを個別に識別するための識別情報がそれぞれ付与されている。例えば、制御部２３は記憶部を備え、点滅形誘導灯ごとにそれぞれ異なる数字が識別情報として記憶部に記憶されている。各点滅形誘導灯Ａは、識別情報に応じた制御信号を送出する。すなわち、制御信号を受信した点滅形誘導灯Ａは、どの点滅形誘導灯Ａが制御信号を出力したかを認識することができる。
【００６８】
判断部２３ｅは、入力された制御信号と付与された識別情報とから、第２光源２０の点滅を停止するか維持するかを判断する。すなわち、各点滅形誘導灯Ａは、入力された制御信号により、第２光源２０の点滅を、それぞれ停止または維持する。
【００６９】
具体的には、１階に設置された煙感知器Ｄが感知信号を出力し、２階に設置された点滅形誘導灯Ａが制御信号を送出した場合、１階に設置された点滅形誘導灯Ａは点滅を維持し、３階以上の階に設置された点滅形誘導灯Ａは点滅を停止する。
【００７０】
上述のように、表示サインが表示する避難方向（１階の避難口までの避難経路上）に煙が発生している点滅形誘導灯Ａは点滅を停止し、その他の点滅形誘導灯Ａは点滅を維持する。
【００７１】
次に、誘導灯信号装置Ｆによる点検について説明する。誘導灯信号装置Ｆが開閉スイッチＳＷを点検ための開閉パターンで開閉させると、点滅形誘導灯Ａは開閉パターンを検出して点検を開始する。
【００７２】
制御部１３は、第１スイッチング素子Ｑ１をオフにして第２スイッチング素子Ｑ２をオンにして、動作モードの一つである２次電池Ｅ３による第１光源１０の点灯を行う。このとき、電池電圧検出部１３ａで電池電圧を検出し、第１光源１０の点灯の有無と２次電池Ｅ３の異常の有無とを判断部１３ｅで判断する。
【００７３】
制御部２３は、点滅用スイッチング素子をオンにして、第２光源２０の点灯を行う。このとき、電池電圧検出部２３ａで電池電圧を検出し、第２光源２０の点灯の有無と２次電池Ｅ４の異常の有無とを判断部２３ｅで判断する。
【００７４】
所定の点検時間（定期点検の場合は、２０分間または６０分間）が経過すると、誘導灯信号装置Ｆは開閉スイッチＳＷの点検を終了させるための開閉パターンで開閉スイッチＳＷを開閉させて、点滅形誘導灯Ａに点検を終了させる。
【００７５】
なお、２次電池Ｅ３，Ｅ４の放電電流を検出する構成を点滅形誘導灯Ａに付加してＩＲ上昇を検出し、２次電池Ｅ３，Ｅ４の異常や寿命を検出する構成とすることもできる。
【００７６】
また、開閉スイッチＳＷの開閉パターンにより、第１光源１０および２次電池Ｅ３の点検と、第２光源および２次電池Ｅ４の点検とを、個別に行うこともできる。例えば、図３に示すように、商用電源Ｅ１の交流電圧がゼロになる近傍で開閉スイッチＳＷが開閉すると、各点滅形誘導灯Ａは、第１光源１０および２次電池Ｅ３の点検をそれぞれ行い、交流電圧が極大、極小になる近傍で開閉スイッチＳＷが開閉すると、第２光源２０および２次電池Ｅ４の点検をそれぞれ行うように構成することもできる。
【００７７】
次に、誘導灯信号装置Ｆによる各点滅形誘導灯Ａの一斉消灯、一斉点灯について説明する。誘導灯信号装置Ｆが開閉スイッチＳＷを一斉消灯のための開閉パターンで開閉させると、各点滅形誘導灯Ａは、第１光源１０をそれぞれ消灯させる。なお、第２光源２０は消灯を維持する。
【００７８】
開閉パターンとしては、例えば、３秒間の間に３回の開閉を行うような開閉パターンとすることができる。
【００７９】
点滅形誘導灯Ａがオフィスビルなど深夜に人がいない建物に設置される場合、誘導灯信号装置Ｆで点滅形誘導灯Ａを深夜に一斉消灯させることで、節電を行うことができる。また、誘導灯信号装置Ｆが開閉スイッチＳＷを一斉点灯させるための開閉パターンで開閉することにより、点滅形誘導灯Ａの第１光源１０を一斉点灯させることができる。
【００８０】
実施形態では、複数個の点滅形誘導灯Ａを備える照明制御システムを例示したが、点滅形誘導灯Ａの代わりに音声誘導灯や点滅形音声誘導灯を用いる構成とすることもできる。
【００８１】
また、図５に示すように、点滅形誘導灯Ａの代わりに、点滅形誘導灯Ａを２台接続した点滅形誘導灯Ａ’を用いる構成とすることもできる。
【００８２】
上述のように、点滅を開始させるための制御線ＳＬを用いて各点滅形誘導灯Ａ間で通信を行うことができるから、各点滅形誘導灯Ａ間の通信のための専用の通信線が必要なく、また、制御線ＳＬが無電圧状態（開閉スイッチＳＷが開であるとき）であるときに、通信を行うから、点滅形誘導灯Ａに変調器、復調器、フィルタが必要ない。すなわち、点滅形誘導灯Ａに変調器、復調器、フィルタを必要とすることなく、配線を減らすことができ、照明制御システムを高価にすることなく施工性を向上させることができる。
【００８３】
また、開閉スイッチＳＷを特定の開閉パターンで開閉させることにより、誘導灯信号装置Ｆで各点滅形誘導灯Ａを集中制御できるとともに、各点滅形誘導灯Ａの点検を一括して実施することができるから、点検や集中制御のための通信線が必要ない。すなわち、施工性を低下させることなく、点検や集中制御を行うことができる。
【００８４】
なお、実施形態では、信号送出用スイッチング素子Ｑ３は、信号端子部と第２電源端子部とに接続されているが、信号端子部と２次電池Ｅ４の高圧側とに接続する構成とすることもできる。
【図面の簡単な説明】
【００８５】
【図１】実施形態の回路図である。
【図２】実施形態の構成図である。
【図３】実施形態の点滅形誘導灯に入力される電圧を示す図で、（ａ）は、開閉スイッチが閉のとき、（ｂ）（ｃ）は、開閉スイッチを開閉させたときの図である。
【図４】実施形態の別形態の回路図である。
【図５】従来例を示す構成図である。
【図６】従来例を示す回路図である。
【図７】従来例を示す構成図である。
【図８】従来例を示す構成図である。
【図９】従来例を示す構成図である。
【図１０】従来例を示す構成図である。
【符号の説明】
【００８６】
１３制御部
１３ｄ  信号検出部
２３  制御部
２３ｄ  信号検出部
２７  信号送出部
Ａ  点滅形誘導灯（誘導灯）
Ｆ  誘導灯信号装置
Ｅ１  商用電源
ＳＬ  制御線
ＳＷ  開閉スイッチ
ＰＬ１，ＰＬ２  電源線
【図１】
2010033850.tif 000003
【図２】
2010033850.tif 000004
【図３】
2010033850.tif 000005
【図４】
2010033850.tif 000006
【図５】
2010033850.tif 000007
【図６】
2010033850.tif 000008
【図７】
2010033850.tif 000009
【図８】
2010033850.tif 000010
【図９】
2010033850.tif 000011
【図１０】
2010033850.tif 000012